(57)【要約】【課題】ブランクを大型化させることなく、内部空間を区画する仕切部材を安定して設置できる構造とする。【解決手段】底面板１と、その底面板１の周縁から立ち上がる側面板７，８及び端面板３，４，５，６と、その上面を閉じる上面板２と、前記底面板１と前記上面板２との間に設けられ内部の空間を区画する機能を有する仕切部材１０とを備え、一枚のブランクによって形成される包装用容器において、前記仕切部材１０は、前記底面板１に沿って伸びる中間部材１４と、前記中間部材１４に設けた切目線１０ａによって前記中間部材１４から前記底面板１側に立ち上がる保持片１１ａと、その保持片１１ａの先端に設けられ前記底面板１に面接触する接着片１１ｂとを備え、前記保持片１１ａと前記接着片１１ｂが、前記中間部材１４と前記底面板１との間で突っ張る構成を採用した。【選択図】図３
2011168294.tif 000002
【特許請求の範囲】
【請求項１】
底面板（１）と、その底面板（１）の周縁から立ち上がる側面板（７，８）及び端面板（３，４，５，６）と、その上面を閉じる上面板（２）と、前記底面板（１）と前記上面板（２）との間に設けられ内部の空間を区画する機能を有する仕切部材（１０）とを備え、一枚のブランクによって形成される包装用容器において、
前記仕切部材（１０）は、前記底面板（１）に沿って伸びる中間部材（１４）と、前記中間部材（１４）に設けた切目線（１０ａ）によって前記中間部材（１４）から前記底面板（１）側に立ち上がる保持片（１１ａ）と、その保持片（１１ａ）の先端に設けられ前記底面板（１）に面接触する接着片（１１ｂ）とを備え、前記保持片（１１ａ）と前記接着片（１１ｂ）が、前記中間部材（１４）と前記底面板（１）との間で突っ張ることを特徴とする包装用容器。
【請求項２】
底面板（１）と、その底面板（１）の周縁から立ち上がる側面板（７，８）及び端面板（３，４，５，６）と、その上面を閉じる上面板（２）と、前記底面板（１）と前記上面板（２）との間に設けられ内部の空間を区画する機能を有する仕切部材（１０）とを備え、一枚のブランクによって形成される包装用容器において、
前記仕切部材（１０）は、前記底面板（１）に沿って伸びる中間部材（１４）と、前記中間部材（１４）に設けた切目線（１０ａ）によって前記中間部材（１４）から前記上面板（２）側に立ち上がる保持片（１１ａ）と、その保持片（１１ａ）の先端に設けられ前記上面板（２）に面接触する接着片（１１ｂ）とを備え、前記保持片（１１ａ）と前記接着片（１１ｂ）が、前記中間部材（１４）と前記上面板（２）との間で突っ張ることを特徴とする包装用容器。
【請求項３】
前記切目線（１０ａ）は、前記ブランクの端縁から離脱した位置に設けられることを特徴とする請求項１又は２に記載の包装用容器。
【請求項４】
前記中間部材（１４）は、前記側面板（７，８）に連設されていることを特徴とする請求項１乃至３のいずれか一つに記載の包装用容器。
【請求項５】
前記仕切部材（１０）は、前記底面板（１）又は上面板（２）から立ち上がる立上部材（１２）を備え、前記中間部材（１４）は、前記立上部材（１２）に連設されていることを特徴とする請求項１乃至３のいずれか一つに記載の包装用容器。
【請求項６】
前記仕切部材（１０）は、前記中間部材（１４）の端縁に連設された接着部材（１５）を備え、その接着部材（１５）が前記側面板（７，８）又は端面板（３，４，５，６）に面接触することで前記中間部材（１４）を保持していることを特徴とする請求項１乃至５のいずれか一つに記載の包装用容器。
【請求項７】
前記仕切部材（１０）は、前記中間部材（１４）の端縁に連設され前記底面板（１）側又は前記上面板（２）側に立ち上がる第二の立上部材（１３）と、その第二の立上部材（１３）の端縁に連設された接着部材（１５）を備え、その接着部材（１５）が前記底面板（１）又は前記上面板（２）に面接触することで、前記中間部材（１４）を保持していることを特徴とする請求項１乃至５のいずれか一つに記載の包装用容器。
【発明の詳細な説明】
【技術分野】
【０００１】
この発明は、内部に収容される物品を保持する仕切板を備えた包装用容器に関するものである。
【背景技術】
【０００２】
菓子や食品、その他各種物品を収容するための包装用容器として、従来から、例えば、図２０及び図２１に示すものがある。
【０００３】
この包装用容器３１は、図１９に示すブランク３０によって形成される。ブランク３０には、箱体を構成する底面板１と上面板２とが、折目線ｒを介して連設された側面板８で連結されている。また、底面板１の側面板８が連設されている側の反対側の端縁には、折目線ｒを介して側面板７が連設されている。
【０００４】
底面板１と上面板２には、それぞれ、折目線ｒを介して端面板３，５，４，６が連設され、また、前記側面板７には、折目線ｒを介して仕切部材９が連設されている。仕切部材９は、前記側面板７に直接連設された第一部材９ａと、その第一部材９ａに連設された第二部材９ｂ、さらには、第三部材９ｃとを備える。
【０００５】
この図１９に示すブランク３０を用い包装用容器３１を組み立てる際には、まず、底面板１から側面板７，８を起立させる。そして、側面板７の上縁から仕切部材９を折り曲げ、図２０及び図２１に示すように、第一部材９ａ、第二部材９ｂ、第三部材９ｃを順に折り曲げ、第三部材９ｃを底面板１の上面に接着固定する。
【０００６】
さらに、側面板８の上縁から上面板２を底面板１上に被せるように折り曲げ、各側面板７，８に連設された折込片７ａ，８ａを内側に折り曲げた後、端面板４，６を閉じ、その後、端面板３，５を閉じて接着し、包装用容器３１が完成する。
【０００７】
このように形成された包装用容器３１は、その内部空間を仕切部材９が２つに区画しているので、内部に収容された物品は、その仕切部材９の介在によって、所定の位置に保持され、不用意に移動することが防止される。また、例えば、異なる種類の物品を収容する場合等においては、その区画された空間毎に、単一の種類の物品を収容できるので、見映えがよく、また、所望の物品を取出しやすいという利点もある。
【０００８】
なお、内部の物品を取り出す際には、いずれかの端面板を開いて開封することができるが、この例では、端面板５に切目線５ａが設けられているので、その切目線５ａを切り裂くことで、端面板５，６の開封が容易である。
【０００９】
また、特許文献１には、側面板に連設された内フラップ（上面板）の先端縁に仕切部材（仕切り板）を連設し、その仕切部材を下方に折り込むことで、包装容器の内部空間を仕切るものが記載されている。
さらに、特許文献２には、側面板に連設された上板の一部を底面板に向かって押し込むことにより仕切部材（区画片）を形成し、その仕切部材の下端が底面板の上面に当たることでその仕切部材がその位置で固定されて、包装容器の内部空間を仕切るものが記載されている。
【先行技術文献】
【特許文献】
【００１０】
【特許文献１】特開平７−８９５３１号公報
【特許文献２】特開２００７−２２５９９号公報（第６頁第１〜２図）
【発明の概要】
【発明が解決しようとする課題】
【００１１】
上記、図１９〜図２１に示す包装用容器３１によれば、仕切部材９を設けることによって、ブランク３０が大型化するという問題がある。
【００１２】
すなわち、図１９に示すように、仕切部材９が、側面板７の上縁７ｂから距離Ｌ０だけ張り出しており、この距離Ｌ０は、仕切部材９を構成する第一部材９ａ、第二部材９ｂ、第三部材９ｃの３つの部材で決定されるため、図２０に示すように、包装用容器３１の深さ（上面板と底面板間の距離）Ｌ１や、底面板への接着片の有効幅Ｌ２等に応じて、一定の長さが必要となるからである。
【００１３】
また、特許文献１に記載の包装用容器においても、仕切部材を設けることでブランクが大型化する点は同様である。
【００１４】
この点、特許文献２に記載の包装用容器では、仕切部材を設けることのみによってブランクが著しく大型化することはないが、その仕切部材が、安定しないという問題がある。
【００１５】
これは、仕切部材が、上板の突出側の端縁に臨んで設けられているため、その端縁が分断されることにより、その仕切部材の周囲の上板の剛性が弱くなってしまうからである。周囲の上板が不安定であると、仕切部材も安定しない。
また、その仕切部材の下端が底面板に当たって止まる構成であるため、その下端が底面板に対して摺動することで、仕切部材の位置が安定しない。
【００１６】
そこで、この発明は、ブランクを大型化させることなく、内部空間を区画する仕切部材を安定して設置できる構造とすることを課題とする。
【課題を解決するための手段】
【００１７】
上記の課題を解決するために、この発明は、底面板と、その底面板の周縁から立ち上がる側面板及び端面板と、その上面を閉じる上面板と、前記底面板と前記上面板との間に設けられ内部の空間を区画する機能を有する仕切部材とを備え、一枚のブランクによって形成される包装用容器において、前記仕切部材は、前記底面板に沿って伸びる中間部材と、前記中間部材に設けた切目線によって前記中間部材から前記底面板側に立ち上がる保持片と、その保持片の先端に設けられ前記底面板に面接触する接着片とを備え、前記保持片と前記接着片が、前記中間部材と前記底面板との間で突っ張る構成を採用した。
【００１８】
保持片と接着片が、中間部材と底面板との間で突っ張るから、中間部材と底面板とが一定の間隔で保持される。中間部材が一定の位置で保持されるから、その中間部材や保持片でもって包装用容器内の空間を区画する機能を維持し得る。このとき、保持片の先端に底面板に面接触する接着片とを備えていることから、その突っ張りが安定する。
なお、接着片は、底面板に面接触するだけでも、保持片とともに所定の突っ張り効果を発揮し得るが、接着片を底面板に接着固定すれば、その突っ張りはさらに安定する。以下、接着片の各部への面接触箇所に関しても同様である。
【００１９】
また、このとき、包装用容器内の空間を区画する機能は、その中間部材と保持片の双方で成すものとしてもよいし、そのいずれか一方で成すものとしてもよい。例えば、中間部材が上面板と底面板のそれぞれに隙間をもって位置していれば、その中間部材を夾んで底面板側と上面板側とに空間を区画することができるし、それに加えて、保持片の位置する側の空間（底面板側の空間）は、その保持片によってもさらに空間を区画することができる。また、中間部材が上面板に接していても、その保持片によって前記区画する機能を期待できる。
【００２０】
また、保持片を中間部材から上面板側に立ち上げてもよい。すなわち、その構成は、底面板と、その底面板の周縁から立ち上がる側面板及び端面板と、その上面を閉じる上面板と、前記底面板と前記上面板との間に設けられ内部の空間を区画する機能を有する仕切部材とを備え、一枚のブランクによって形成される包装用容器において、前記仕切部材は、前記底面板に沿って伸びる中間部材と、前記中間部材に設けた切目線によって前記中間部材から前記上面板側に立ち上がる保持片と、その保持片の先端に設けられ前記上面板に面接触する接着片とを備え、前記保持片と前記接着片が、前記中間部材と前記上面板との間で突っ張る構成を採用し得る。
【００２１】
この構成では、保持片と接着片が、中間部材と上面板との間で突っ張るから、中間部材と上面板とが一定の間隔で保持される。中間部材が一定の位置で保持されるから、その中間部材や保持片でもって包装用容器内の空間を区画する機能を維持し得る。このとき、保持片の先端に上面板に面接触する接着片とを備えていることから、その突っ張りが安定する。
【００２２】
また、このとき、包装用容器内の空間を区画する機能は、その中間部材と保持片の双方で成すものとしてもよいし、そのいずれか一方で成すものとしてもよい。例えば、中間部材が上面板と底面板のそれぞれに隙間をもって位置していれば、その中間部材を夾んで底面板側と上面板側とに空間を区画することができるし、それに加えて、保持片の位置する側の空間（上面板側の空間）は、その保持片によってもさらに空間を区画することができる。また、中間部材が底面板に接していても、その保持片によって前記区画する機能を期待できる。
【００２３】
これらの各構成において、前記切目線は、前記ブランクの端縁から離脱した位置に設けられる構成を採用することができる。
切目線がブランクの端縁から離脱していれば、その保持片や接着片の介在による、その中間部材の強度の低下を最小限に抑えることができる。切目線がブランクの端縁に至っていないので、保持片や接着片を中間部材から立ち上げた際にできる穴が、その中間部材によってその全周が囲まれているからである。
【００２４】
これらの各構成における前記中間部材は、前記側面板に連設されている構成を採用することができる。中間部材を側面板に連設すれば、その側面板によっても中間部材と底面板、又は中間部材と上面板とを一定の間隔に保持し得る。
【００２５】
また、これらの各構成における前記仕切部材は、前記底面板又は前記上面板から立ち上がる立上部材を備え、前記中間部材は、前記立上部材に連設されている構成を採用することもできる。
【００２６】
さらに、これらの各構成において、前記仕切部材は、前記中間部材の端縁に連設された接着部材を備え、その接着部材が前記側面板又は端面板に面接触することで前記中間部材を保持している構成を採用することができる。
中間部材に連設された接着部材が、側面板や端面板に面接触することで、中間部材は、さらにしっかりと保持される。
なお、前述の接着片と同様、この接着部材に関しても、その面接触箇所を接着固定することで、その保持効果をさらに高めることができる。
【００２７】
また、これらの各構成において、その接着部材は、中間部材に直接連設してもよいし、間接的に連設してもよい。
すなわち、接着部材を中間部材に間接的に連設した構成とは、前記仕切部材は、前記中間部材の端縁に連設され前記底面板側又は前記上面板側に立ち上がる第二の立上部材と、その第二の立上部材の端縁に連設された接着部材を備え、その接着部材が前記底面板又は前記上面板に面接触することで、前記中間部材を保持している構成である。
【発明の効果】
【００２８】
この発明は、ブランクを大型化させることなく、内部空間を区画する仕切部材を安定して設置できる構造とできる。
【図面の簡単な説明】
【００２９】
【図１】第一の実施形態の包装用容器を構成するブランクＡの平面図
【図２】第一の実施形態の包装用容器の断面図
【図３】（ａ）は第一の実施形態の包装用容器の斜視図、（ｂ）はその開封状態を示す要部拡大図
【図４】第二の実施形態の包装用容器を構成するブランクＢの平面図
【図５】第二の実施形態の包装用容器の断面図
【図６】第二の実施形態の包装用容器の斜視図
【図７】第三の実施形態の包装用容器を構成するブランクＣの平面図
【図８】第三の実施形態の包装用容器の断面図
【図９】第三の実施形態の包装用容器の斜視図
【図１０】第四の実施形態の包装用容器を構成するブランクＤの平面図
【図１１】第四の実施形態の包装用容器の断面図
【図１２】第四の実施形態の包装用容器の斜視図
【図１３】第五の実施形態の包装用容器を構成するブランクＥの平面図
【図１４】第五の実施形態の包装用容器の断面図
【図１５】第五の実施形態の包装用容器の斜視図
【図１６】第六の実施形態の包装用容器を構成するブランクＦの平面図
【図１７】第六の実施形態の包装用容器の断面図
【図１８】第六の実施形態の包装用容器の斜視図
【図１９】従来例の包装用容器を構成するブランク３０の平面図
【図２０】従来例の包装用容器の断面図
【図２１】従来例の包装用容器の斜視図
【発明を実施するための形態】
【００３０】
以下、図面に基づいて、この発明の実施形態について説明する。これらの実施形態は、菓子や食品を収容するための包装用容器であり、その包装用容器内の空間を仕切部材１０で複数に区画することを可能とするものである。いずれの包装用容器も、その主要部は一枚のブランクによって形成される。
【００３１】
（第一の実施形態）
第一の実施形態を、図１〜図３に基づいて説明する。この実施形態の包装用容器２０ａ
は、図１に示すブランクＡによって形成される。
【００３２】
ブランクＡには、包装用容器２０ａの箱体を構成する底面板１と上面板２とが、折目線ｒを介して連設された側面板８で連結されている。また、底面板１の側面板８が連設されている側の反対側の端縁には、折目線ｒを介して側面板７が連設されている。各側面板７，８には、それぞれその幅方向両端に折込片７ａ，８ａが連設されている。
【００３３】
底面板１には、その幅方向両端縁に、それぞれ折目線ｒを介して端面板３，５が連設されている。また、上面板２にも、その幅方向両端縁に、それぞれ折目線ｒを介して端面板４，６が連設されている。
【００３４】
前記側面板７には、折目線ｒを介して仕切部材１０が連設されている。仕切部材１０は、このブランクＡを組み立てた状態で、前記底面板１と前記上面板２との間に設けられ内部の空間を区画する機能を有するものである。
【００３５】
前記仕切部材１０は、前記底面板１に連設された側面板７の上縁に連設された中間部材１４を備える。この中間部材１４は、前記側面板７の上縁から折目線ｒで折り曲げられ、底面板１に沿って並行に配置されることとなる。
【００３６】
その中間部材１４には、平面視コ字状を成す切目線１０ａが設けられ、この切目線１０ａによって、中間部材１４と底面板１との間を突っ張る機能を有する保持手段１１を形成できるようになっている。
この切目線１０ａを切断すると、保持片１１ａと接着片１１ｂは、中間部材１４に対して切目線１０ａの介在しない部分に設けた折目線ｒ１部分のみによって、中間部材１４と繋がった状態となるようになっている。
【００３７】
なお、この実施形態では、中間部材１４に保持手段１１を二つ設けているが、この保持手段１１の数は、必要により増減することができる。
【００３８】
この発明によれば、仕切部材１０を設けた部分に対応する張り出し長さＬ（図１参照）が、従来例の仕切部材９の張り出し長さＬ０（図１９参照）に対して短くすることができる。このためブランクＡの大型化が避けられる。
【００３９】
この図１に示すブランクＡを用いて、包装用容器２０ａを組み立てる際の方法、手順について説明する。
【００４０】
まず、底面板１から側面板７，８を起立させる。そして、側面板７の上縁から仕切部材１０を折り曲げ、図２及び図３に示すように、その仕切部材１０の中間部材１４を底面板１と並行にする。
【００４１】
保持片１１ａ及び接着片１１ｂを切目線１０ａに沿って切断し、折目線ｒ１に沿って保持片１１ａを底面板１側に折り曲げることで、その保持片１１ａを底面板１側に立ち上がらせる。
【００４２】
さらに、その保持片１１ａに対して、接着片１１ｂを折目線ｒ２を介して折り曲げることにより、その接着片１１ｂが底面板１の上面に面接触する。この面接触部分は、接着剤で固定される。
この状態で、保持片１１ａと接着片１１ｂが、中間部材１４と底面板１との間で突っ張った状態となる。
【００４３】
さらに、側面板８の上縁から上面板２を底面板１上に被せるように折り曲げる。各側面板７，８に連設された折込片７ａ，８ａを内側に折り曲げた後、端面板３，４，５，６を閉じて接着し、包装用容器２０ａが完成する。この実施形態では、中間部材１４は上面板２に接しているから、包装用容器２０ａ内の空間は、図２に示すように、二つの保持手段１１，１１によって、３つの空間に区画されることとなる。
【００４４】
このとき、内部に収容される物品は、例えば、一方の端面板３，４を閉じた後、反対側の端面板５，６を閉じる前に、その端面板５，６側から内部に収容することができる。
【００４５】
なお、内部の物品を取り出す際には、いずれかの側の端面板３，４，５，６を開いて開封することができるが、この例では、端面板５に切目線５ａが設けられているので、図３（ｂ）に示すように、切目線５ａを切り裂くことで、端面板５，６の開封が容易である。
【００４６】
（第二の実施形態）
この発明の第二の実施形態を図４〜図６に示す。この第二の実施形態の包装用容器２０ｂは、図４に示すブランクＢによって形成される。
【００４７】
主たる構成は、第一の実施形態と同様であるが、ここでは、中間部材１４に保持手段１１を一つだけ設けている点で異なる。
【００４８】
この実施形態では、中間部材１４は上面板２に接しているから、包装用容器２０ｂ内の空間は、図５及び図６に示すように、一つの保持手段１１によって、２つの空間に区画されることとなる。他の部分については、第一の実施形態と同様であるので、説明を省略する。
【００４９】
（第三の実施形態）
この発明の第三の実施形態を図７〜図９に示す。この第三の実施形態の包装用容器２０ｃは、図７に示すブランクＣによって形成される。
【００５０】
この実施形態は、図７に示すように、仕切部材１０は、底面板１から立ち上がる立上部材１２を備えている。中間部材１４は、この立上部材１２に連設されている。
【００５１】
また、仕切部材１０は、前記中間部材１４の先端縁（立上部材１２の反対側の端縁）に連設された接着部材１５を備えている。この接着部材１５は、前記立上部材１２が連設されている側の反対側の側面板８の内面に面接触し、その面接触部分が接着固定されるようになっている。
【００５２】
その他の主たる構成は、前述の各実施形態と同様であるので説明を省略するが、この図７に示すブランクＣを用いて、包装用容器２０ｃを組み立てる際の方法、手順について、前述の実施形態との差異点を中心に説明する。
【００５３】
まず、底面板１から側面板８を起立させる。そして、底面板１から立上部材１２を起立させる。立上部材１２の上縁から仕切部材１０を折り曲げ、図８及び図９に示すように、その仕切部材１０の中間部材１４を底面板１と並行にする。この実施形態では、中間部材１４は、底面板１と上面板２との間、ほぼ中央に位置する。
【００５４】
保持片１１ａ及び接着片１１ｂを切目線１０ａに沿って切断し、折目線ｒ１に沿って保持片１１ａを底面板１側に折り曲げることで、その保持片１１ａを底面板１側に立ち上がらせる。
【００５５】
さらに、その保持片１１ａに対して、接着片１１ｂを折目線ｒ２を介して折り曲げることにより、その接着片１１ｂが底面板１の上面に面接触する。この面接触部分は、接着剤で固定される。
この状態で、保持片１１ａと接着片１１ｂが、中間部材１４と底面板１との間で突っ張った状態となる。
【００５６】
また、接着部材１５を、折目線ｒを介して上面板２側に折り曲げ、その接着部材１５を側面板８の内面に面接触させる。この面接触部分は、接着剤で固定される。その後、上面板２、側面板７が折目線ｒに沿って折り曲げられ、側面板７が立上部材１２の外面に接着固定される。さらに、折込片７ａ，８ａを内側に折り曲げた後、端面板３，４，５，６が閉じられることで、図９に示すように、底面板１の周縁に側面板７，８、端面板３，４，５，６が立ち上がり、その上面を上面板２で閉じた包装用容器２０ｃとなる。
【００５７】
この実施形態では、中間部材１４は、底面板１と上面板２とに隔てて設けられているから、包装用容器２０ｃ内の空間は、図８及び図９に示すように、その中間部材１４によって底面板１側と上面板２側との２つに区画される。
さらに、底面板１側の空間は、一つの保持手段１１によって、２つの空間に区画されることとなる。このため、包装用容器２０ｃ内の空間が３つに区画される。
【００５８】
なお、この実施形態の変形例としては、例えば、立上部材１２を上面板２に連設し、その立上部材１２を上面板２側から底面板１側に起立させる構成も考えられる。また、保持手段１１を、上面板２側に立ち上がらせる構成も考えられる。
【００５９】
（第四の実施形態）
この発明の第四の実施形態を図１０〜図１２に示す。この第四の実施形態の包装用容器２０ｄは、図１０に示すブランクＤによって形成される。
【００６０】
この実施形態は、前述の第三の実施形態における接着部材１５を省略した構成である。接着部材１５が省略されているから、中間部材１４は、立上部材１２の上縁から内側に伸びて、その先端は、図１１に示すように、反対側の側面板８に至らない場所となっている。
他の部分については、前述の各実施形態と同様であるので、説明を省略する。
【００６１】
（第五の実施形態）
この発明の第五の実施形態を図１３〜図１５に示す。この第五の実施形態の包装用容器２０ｅは、図１３に示すブランクＥによって形成される。
【００６２】
この実施形態は、上記第三、第四の実施形態と同様、仕切部材１０が、底面板１から立ち上がる立上部材１２を備えている。中間部材１４は、この立上部材１２に連設されている。
【００６３】
また、仕切部材１０は、前記中間部材１４の先端縁（立上部材１２の反対側の端縁）に折目線ｒを介して連設された第二の立上部材１３と、さらに、その第二の立上部材１３に折目線ｒを介して連設された接着部材１５を備えている。
【００６４】
第二の立上部材１３は、中間部材１４に対して折目線ｒで折り曲げられて上面板２側に起立する。また、接着部材１５は、その第二の立上部材１３に対して折目線ｒで折り曲げられて、上面板２の内面に面接触し、その面接触部分が接着固定されるようになっている。
【００６５】
その他の主たる構成は、前述の各実施形態と同様である。この図１３に示すブランクＥを用いて、包装用容器２０ｅを組み立てる際の方法、手順について、前述の実施形態との差異点を中心に説明する。
【００６６】
まず、底面板１から側面板８を起立させる。そして、底面板１から立上部材１２を起立させる。立上部材１２の上縁から中間部材１４を折り曲げ、図１４及び図１５に示すように、その中間部材１４を底面板１と並行にする。この実施形態では、中間部材１４は、底面板１と上面板２との間、ほぼ中央に位置する。
【００６７】
保持片１１ａ及び接着片１１ｂを切目線１０ａに沿って切断し、折目線ｒ１に沿って保持片１１ａを底面板１側に折り曲げることで、その保持片１１ａを底面板１側に立ち上がらせる。
【００６８】
さらに、その保持片１１ａに対して、接着片１１ｂを折目線ｒ２を介して折り曲げることにより、その接着片１１ｂが底面板１の上面に面接触する。この面接触部分は、接着剤で固定される。
この状態で、保持片１１ａと接着片１１ｂが、中間部材１４と底面板１との間で突っ張った状態となる。
【００６９】
また、第二の立上部材１３を、折目線ｒを介して上面板２側に折り曲げ、さらに、接着部材１５を折目線ｒを介して折り曲げて上面板２の内面に面接触させる。この面接触部分は、接着剤で固定される。その後の工程は、前述の実施形態と同様である。
【００７０】
この実施形態では、中間部材１４は、底面板１と上面板２とに隔てて設けられているから、包装用容器２０ｅ内の空間は、図１４及び図１５に示すように、その中間部材１４によって底面板１側と上面板２側との２つに区画される。また、その中間部材１４は、その先端が第二の立上部材１３で上面板２側へ保持されているから、中間部材１４、保持手段１１、第二の立上部材１３によって、包装用容器２０ｅ内の空間が３つに区画される。
【００７１】
なお、この実施形態の変形例としては、例えば、第二の立上部材１３を底面板１側に起立させる構成も考えられる。また、保持手段１１を、逆に、上面板２側に立ち上がらせる構成も考えられる。
【００７２】
（第六の実施形態）
この発明の第六の実施形態を図１６〜図１８に示す。この第六の実施形態の包装用容器２０ｆは、図１６に示すブランクＦによって形成される。
【００７３】
この実施形態は、上記第五の実施形態における、中間部材１４に対する第二の立上部材１３の立上がり位置を、その中間部材１４に設けた保持手段１１の保持片１１ａの位置と一致させたものである。他の部分については、前述の各実施形態と同様であるので、説明を省略する。
【符号の説明】
【００７４】
１  底面板
２  上面板
３，４，５，６  端面板
７，８  側面板
９，１０  仕切部材
１１  保持手段
１１ａ  保持片
１１ｂ  接着片
１２  立上部材
１３  第二の立上部材
１４  中間部材
１５  接着部材
Ａ，Ｂ，Ｃ・・・・  ブランク
２０ａ，２０ｂ，２０ｃ・・・  包装用容器
３０  ブランク
３１  包装用容器
【図１】
2011168294.tif 000003
【図２】
2011168294.tif 000004
【図３】
2011168294.tif 000005
【図４】
2011168294.tif 000006
【図５】
2011168294.tif 000007
【図６】
2011168294.tif 000008
【図７】
2011168294.tif 000009
【図８】
2011168294.tif 000010
【図９】
2011168294.tif 000011
【図１０】
2011168294.tif 000012
【図１１】
2011168294.tif 000013
【図１２】
2011168294.tif 000014
【図１３】
2011168294.tif 000015
【図１４】
2011168294.tif 000016
【図１５】
2011168294.tif 000017
【図１６】
2011168294.tif 000018
【図１７】
2011168294.tif 000019
【図１８】
2011168294.tif 000020
【図１９】
2011168294.tif 000021
【図２０】
2011168294.tif 000022
【図２１】
2011168294.tif 000023